(57)【要約】【課題】ＰＣプリントを実行する際に、利用者の制限や印刷履歴の作成が可能なネットワーク複合機を提供することを課題とする。【解決手段】ユーザが、ユーザ自身が使用するＰＣ２のホスト名を認証情報と対応付けてユーザ情報記憶部１１１に保存する（ステップＳ１１）。ネットワーク複合機１は、印刷ジョブを受信する（ステップＳ１２）と、印刷ジョブから送信元のＰＣ２のホスト名を取得する（ステップＳ１３）。取得したホスト名がユーザ情報記憶部１１１に記憶されている場合（ステップＳ１５でＹｅｓ）、判定部１１２は、ＰＣプリントを許可し（ステップＳ１６）、ログ記録部１１３がＰＣプリントのログを記録する（ステップＳ１７）。一方、取得したホスト名が記憶されていない場合（ステップＳ１５でＮｏ）、判定部１１２は、送信元のＰＣ２に印刷処理を行わない旨を通知する（ステップＳ１８）。【選択図】図３
2008290271.tif 000002
【特許請求の範囲】
【請求項１】
ネットワークを介して接続されたコンピュータから印刷ジョブが送信された場合、前記印刷ジョブを処理するか否かを、前記コンピュータから送信された認証情報と、予め保持する認証情報とが一致するかどうかで判定する判定部と、
前記判定部の決定に応じて、前記印刷ジョブに基づいた印刷処理を行う印刷処理部と、
前記印刷処理が行われた時刻、前記認証情報、および前記印刷ジョブに関する情報をログとして記録するログ記録部と、
を備えることを特徴とするネットワーク複合機。
【請求項２】
請求項１に記載のネットワーク複合機において、
前記判定部は、前記印刷ジョブを受信した場合、前記コンピュータに対して認証情報の送信を要求することを特徴とするネットワーク複合機。
【請求項３】
請求項１に記載のネットワーク複合機において、
前記認証情報は、予め前記コンピュータが保持しており、前記印刷ジョブに含まれた状態で前記コンピュータから送信されることを特徴とするネットワーク複合機。
【請求項４】
ネットワークを介して接続されたコンピュータの識別情報を、ユーザの認証情報と対応付けて保存するユーザ情報記憶部と、
前記コンピュータから印刷ジョブが送信された場合、前記印刷ジョブを処理するか否かを、前記印刷ジョブに含まれる前記コンピュータの前記識別情報と、前記ユーザ情報記憶部が保持する前記識別情報とが一致するかどうかで判定する判定部と、
前記判定部の決定に応じて、前記印刷ジョブに基づいた印刷処理を行う印刷処理部と、
前記印刷処理が行われた時刻、前記識別情報、および前記印刷ジョブに関する情報をログとして記録するログ記録部と、
を備えることを特徴とするネットワーク複合機。
【発明の詳細な説明】
【技術分野】
【０００１】
本発明は、セキュリティの向上や、ユーザの操作性を向上させるための認証機能を有するネットワーク複合機に関する。
【背景技術】
【０００２】
１台でコピー機能、ファックス機能、プリンタ機能、スキャナ機能、電子メール機能などの多機能を備えたネットワーク複合機が存在する。ネットワーク複合機は、たとえばオフィスのＬＡＮに接続されて使用される。
【０００３】
上記の機能に加えて、ネットワーク複合機には、認証機能を有するものがある。具体的には、ネットワーク複合機は、ログイン画面を表示して、ユーザに対して認証情報の入力を要求し、入力された認証情報によって認証できたユーザに対して、ネットワーク複合機が備える各機能の使用を許可する。一方、ネットワーク複合機は、入力された認証情報によって認証できないユーザに対して各機能の使用を許可しない。これにより、認証機能を備えるネットワーク複合機は、第三者による不正使用を防ぐことができる。
【０００４】
また、ネットワーク複合機では、認証機能を利用して、ユーザのネットワーク複合機の使用頻度に応じて課金する課金機能を実現したものがある。たとえば、ネットワーク複合機は、登録されているユーザごとに原稿をコピーして出力した枚数をカウントする。そして、ネットワーク複合機をオフィスに設置した業者が、コピー枚数に応じてコピー料金を、ユーザに請求することが従来から行われている。
【０００５】
また、ネットワーク複合機が備える課金機能とは異なるが、認証機能を利用した課金機能の他の例として、特許文献１に開示されている印刷課金管理システムがある。
【０００６】
【特許文献１】特開２００５−１０９４４号公報
【発明の開示】
【発明が解決しようとする課題】
【０００７】
特許文献１が開示する印刷課金管理システムでは、ユーザの指示によりＰＣが印刷ジョブを印刷課金管理サーバに送信すると、印刷課金管理サーバは、ユーザに対して認証情報の入力を要求する。そして、印刷課金管理サーバは、入力された認証情報に基づいて認証を行い、認証後に請求先をユーザに指定させる。ユーザが請求先を指定すると、印刷課金管理サーバは、印刷情報を送信して印刷ジョブをプリンタに処理させ、ユーザが指定した請求先情報と、印刷枚数に対応した課金情報とを対応付けて保存する。
【０００８】
しかしながら、ネットワーク複合機は、ＰＣが送信した印刷ジョブの処理に応じて課金処理をしない場合、上記のような印刷課金管理サーバを用いる必要がない。このため、課金処理をしないネットワーク複合機は、認証が行われない状態で、ＰＣが送信した印刷ジョブを処理することになる。このように、従来のネットワーク複合機は、印刷ジョブを処理する際に、利用者の制限や、情報のトレーサビリティを管理するための印刷履歴の作成などを行うことが難しく、セキュリティを向上させることが難しいという問題があった。
【０００９】
そこで、本発明は前記問題点に鑑み、ネットワークを介して送信された印刷ジョブを処理する際に、利用者の制限や印刷履歴の作成が可能なネットワーク複合機を提供することを目的とする。
【課題を解決するための手段】
【００１０】
上記課題を解決するため、請求項１記載の発明は、ネットワークを介して接続されたコンピュータから印刷ジョブが送信された場合、前記印刷ジョブを処理するか否かを、前記コンピュータから送信された認証情報と、予め保持する認証情報とが一致するかどうかで判定する判定部と、前記判定部の決定に応じて、前記印刷ジョブに基づいた印刷処理を行う印刷処理部と、前記印刷処理が行われた時刻、前記認証情報、および前記印刷ジョブに関する情報をログとして記録するログ記録部と、を備えることを特徴とする。
【００１１】
請求項２記載の発明は、請求項１に記載のネットワーク複合機において、前記判定部は、前記印刷ジョブを受信した場合、前記コンピュータに対して認証情報の送信を要求することを特徴とする。
【００１２】
請求項３記載の発明は、請求項１に記載のネットワーク複合機において、前記認証情報は、予め前記コンピュータが保持しており、前記印刷ジョブに含まれた状態で前記コンピュータから送信されることを特徴とする。
【００１３】
請求項４記載の発明は、ネットワークを介して接続されたコンピュータの識別情報を、ユーザの認証情報と対応付けて保存するユーザ情報記憶部と、前記コンピュータから印刷ジョブが送信された場合、前記印刷ジョブを処理するか否かを、前記印刷ジョブに含まれる前記コンピュータの前記識別情報と、前記ユーザ情報記憶部が保持する前記識別情報とが一致するかどうかで判定する判定部と、前記判定部の決定に応じて、前記印刷ジョブに基づいた印刷処理を行う印刷処理部と、前記印刷処理が行われた時刻、前記識別情報、および前記印刷ジョブに関する情報をログとして記録するログ記録部と、を備えることを特徴とする。
【発明の効果】
【００１４】
本発明のネットワーク複合機は、判定部が受信した印刷ジョブ中から、印刷ジョブを送信したコンピュータの識別情報を取得し、ユーザの認証情報と対応付けて記憶されている識別情報と、取得した識別情報とが一致するかどうかを判定することによって、印刷を指示したユーザを特定する。そして、本発明のネットワーク複合機は、印刷処理の実行後に、印刷時刻や識別情報、印刷ジョブに関する情報をログとして記録する。したがって、従来から用いられているプロトコルを利用して、印刷ジョブの送信を指示したユーザを、印刷ジョブ中から特定することができるため、ネットワークを介して受信した印刷ジョブを処理する際に、利用者の制限をしたり、印刷履歴を作成したりすることができる。
【００１５】
また、判定部は、印刷ジョブを受信した際に、印刷ジョブを送信したコンピュータにユーザの認証情報の入力を要求し、コンピュータから送信された認証情報を用いて認証を行うことによって、印刷ジョブを処理する際の利用者の制限や印刷履歴の作成をより確実に行うことが可能となる。
【発明を実施するための最良の形態】
【００１６】
以下、図面を参照しつつ本発明の実施の形態について説明する。図１は、本発明の一実施の形態における、ネットワーク複合機１の構成を含むネットワークシステムの構成図である。図１に示すネットワークシステムは、ネットワーク複合機１と、複数のＰＣ２，２・・・とがＬＡＮ３に接続された構成となっている。
【００１７】
なお、図１に示すネットワークシステムでは、図示しないＤＨＣＰサーバによって、ネットワーク複合機１、ＰＣ２，２・・・にＩＰアドレスがそれぞれ割り当てられているものとする。また、ＰＣ２，２・・・には、図１に示すネットワークシステムにおいて、それぞれ固有のホスト名が付されているものとする。
【００１８】
まず、ネットワーク複合機１の構成について説明する。ネットワーク複合機１は、制御部１１と、タッチパネル式ディスプレイ１２と、操作部１３と、スキャナ部１４と、印刷処理部１５と、通信部１６とを備える。なお、図１では、ネットワーク複合機１の本実施の形態の説明で必要な機能部のみを示しており、ファックス部やメール部などの他の機能部の表示を省略している。
【００１９】
制御部１１は、ＣＰＵ、ＲＡＭ等を含み、ネットワーク複合機１の全体制御を行う。また、制御部１１は、ＰＣ２，２・・・から印刷ジョブが送信された場合、印刷ジョブの処理を行うかどうか判定する。
【００２０】
タッチパネル式ディスプレイ１２は、ネットワーク複合機１に関する情報表示、および各種の操作メニューを表示する。操作部１３は、ネットワーク複合機１に各種の操作指示を行うためのボタン等で構成される。ユーザは、タッチパネル式ディスプレイ１２および操作部１３を利用して、ネットワーク複合機１の各種操作をすることが可能である。
【００２１】
スキャナ部１４は、オートドキュメントフィーダ（図示省略）等にセットされた原稿を読み取り、画像データとして出力する。印刷処理部１５は、スキャナ部１４から出力された画像データや、ＰＣ２，２・・・から出力された印刷ジョブに含まれる印刷データを記録用紙に出力ドキュメントとして印刷出力する。ここで、印刷処理部１５がＰＣ２，２・・・から送信された印刷ジョブに基づいて実行する印刷処理を「ＰＣプリント」と呼ぶ。
【００２２】
通信部１６は、ＬＡＮ３に接続された各コンピュータとの間で、ＴＣＰ／ＩＰなどのプロトコルを利用してデータの送受信を行う。
【００２３】
次に、制御部１１について詳しく説明する。制御部１１は、ユーザ情報記憶部１１１と、判定部１１２と、ログ記録部１１３とを有する。
【００２４】
ユーザ情報記憶部１１１は、ネットワーク複合機１のユーザ情報として、各ユーザに固有のユーザＩＤ、およびパスワードを記憶している。ユーザＩＤおよびパスワードは、ユーザが、タッチパネル式ディスプレイ１２および操作部１３を操作して、ネットワーク複合機１の各機能を使用する際の認証情報として用いられる。
【００２５】
図２は、ユーザ情報記憶部１１１が記憶するユーザ情報の一例を示す図である。図２に示すように、ユーザ情報記憶部１１１は、ユーザＩＤと対応付けて、各ユーザが使用するＰＣの使用ホスト名と、ＭＡＣアドレスとを記憶している。なお、図２では、ユーザＩＤと使用ホスト名とが一対一で対応した状態で示されているが、ユーザＩＤに対応する使用ホスト名が複数であってもよいし、使用ホスト名がユーザ情報間で重複していてもよい。
【００２６】
判定部１１２は、ＰＣ２，２・・・から印刷ジョブが送信された場合、印刷ジョブを送信したＰＣを特定して、ＰＣプリントを実行するかどうか判定する。具体的には、判定部１１２は、印刷ジョブを送信したＰＣ２のホスト名を、印刷ジョブ中から取得する。そして、判定部１１２は、ユーザ情報記憶部１１１が記憶する使用ホスト名と、取得したホスト名とが一致するかどうかを確認する。一致する場合、判定部１１２は、受信したジョブが登録されているユーザの指示により送信されたものと判断し、印刷処理部１５にＰＣプリントを許可する。
【００２７】
ログ記録部１１３は、判定部１１２がＰＣプリントを許可した場合、印刷時刻や、使用ホスト名、印刷処理部１５が実行した印刷ジョブに関する情報を印刷ログとして記録する。
【００２８】
次に、ＰＣ２について説明する。ＰＣ２，２・・・には、ネットワーク複合機１の印刷処理部１５を制御するプリンタドライバ２１がそれぞれインストールされている。プリンタドライバ２１は、ＰＣ２のユーザが印刷を指示したデータを、プリンタ処理部１５が処理可能な印刷データに変換する。そして、プリンタドライバ２１は、印刷データや印刷出力時の拡大・縮小情報などのプリンタ処理部１５の制御情報などから印刷ジョブを生成して、ネットワーク複合機１に送信する。
【００２９】
以下、図１に示したネットワークシステムにおいて、印刷ジョブがＰＣ２，２・・・から送信された際のネットワーク複合機１の動作について、図３を用いて説明する。図３は、印刷ジョブを受信した際のネットワーク複合機１の動作の一例を示すフローチャートである。なお、以下の説明において、図１に示すＰＣ２，２・・・にインストールされているプリンタドライバ２１は、ＰＣＬ（Printer Control Language）対応のプリンタドライバであり、印刷ジョブの送信にＬＰＲプロトコルを用いるものとする。
【００３０】
まず、ユーザが、各ユーザが使用するＰＣの識別情報として、使用ホスト名およびＭＡＣアドレスを各ユーザの認証情報と対応付けてユーザ情報記憶部１１１に保存する（ステップＳ１１）。ユーザは、各ユーザが使用するＰＣのホスト名を、タッチパネル式ディスプレイ１２および操作部１３を操作して入力してもよいし、ＰＣ２，２・・・からウェブブラウザ等を用いて入力してもよい。
【００３１】
次に、ネットワーク複合機１は、ＰＣ２のプリンタドライバ２１が生成した印刷ジョブを受信する（ステップＳ１２）。このとき、プリンタドライバ２１は、ユーザによるＰＣプリントの指示に基づいて印刷ジョブを生成する。また、生成される印刷ジョブには、ＰＣ２のホスト名が埋め込まれている。ネットワーク複合機１が印刷ジョブを受信すると、判定部１１２は、受信した印刷ジョブの中から、送信元のＰＣ２のホスト名を取得する（ステップＳ１３）。
【００３２】
次に、判定部１１２は、ユーザ情報記憶部１１１に記憶されている使用ホスト名の中に、取得したホスト名があるかどうか確認する（ステップＳ１４）。取得したホスト名が記憶されている場合（ステップＳ１５においてＹｅｓ）、判定部１１２は、受信した印刷ジョブがネットワーク複合機１に登録されているユーザの指示に基づくものであると判断して、印刷処理部１５に対してＰＣプリントを許可する（ステップＳ１６）。印刷ジョブの処理が終了すると、ログ記録部１１３は、判定部１１２が処理を許可したＰＣプリントの印刷ログを記録する（ステップＳ１７）。
【００３３】
ログ記録部１１３は、印刷ログを使用する目的に応じて、印刷ログに記録する内容を変更することができる。たとえば、ＰＣプリントの利用者の制限のみを行う場合、利用者の特定さえできればよいため、ログ記録部１１３は、印刷時刻と、ユーザＩＤと、ホスト名とを記録する。また、印刷履歴を作成する場合は、ログ記録部１１３は、印刷時刻と、ユーザＩＤと、ホスト名と、印刷ファイル名とを記録する。なお、印刷ファイル名とともに、印刷データ自体を印刷ログとして記録してもよい。この場合、印刷ログのサイズが大きくなるため、ログ記録部１１３は、印刷ログをＰＣ２，２・・・の共有フォルダや、ファイルサーバ（図示省略）に保存してもよい。さらに、ＰＣプリントに対して課金を行う場合は、印刷時刻と、ユーザＩＤと、ホスト名と、印刷ページ数とを記録する。なお、印刷ページ数に代えて、印刷データのページ数と、印刷部数とを記録してもよい。
【００３４】
一方、取得したホスト名が、ユーザ情報記憶部１１１に記憶されていない場合（ステップＳ１５においてＮｏ）、判定部１１２は、受信した印刷ジョブがネットワーク複合機１に登録されたユーザの指示に基づいたものではないと判断する。そして、判定部１１２は、印刷ジョブを送信したＰＣ２に、受信した印刷ジョブを処理できない旨を通知して（ステップＳ１８）、図３に示すフローチャートを終了する。
【００３５】
このように、本実施の形態のネットワーク複合機１では、判定部１１２が受信した印刷ジョブに含まれているホスト名を取得し、取得したホスト名がユーザ情報記憶部１１１に記憶されているかどうかを判断することによって、ＰＣプリントを指示したユーザを特定する。したがって、従来から用いられているＬＰＲプロトコルを利用して、印刷ジョブの送信を指示したユーザを、ホスト名から特定することができるため、ＰＣプリント時の利用者の制限をしたり、情報のトレーサビリティを管理するための印刷履歴を作成したりすることが可能となる。
【００３６】
なお、本実施の形態において、判定部１１２が印刷ジョブからＰＣ２，２・・・のホスト名を取得するものとして説明したが、これに限られるものではなく、ホスト名に代えてＭＡＣアドレスを取得してもよい。この場合、ＰＣ２からネットワーク複合機１に送信される印刷ジョブには、ＭＡＣアドレスが埋め込まれる。
【００３７】
また、本実施の形態において、図１に示すネットワーク複合機１、およびＰＣ２，２・・・のＩＰアドレスがＤＨＣＰサーバによって割り当てられるものとして説明したが、これに限られるものではなく、ＤＨＣＰサーバを用いずにユーザが各コンピュータのＩＰアドレスを設定してもよい。この場合、各コンピュータのＩＰアドレスが固定されるため、ホスト名に代えてＩＰアドレスをＰＣ２，２・・・の識別情報として用いることができる。この場合、図２に示すユーザ情報にはホスト名に代えてＩＰアドレスを記録する必要がある。また、各コンピュータのＩＰアドレスが固定された場合、プリンタドライバ２１は、ＬＰＲプロトコルに代えて、ＲＡＷ（Ｐｏｒｔ９１００）を使用することも可能となる。
【００３８】
また、本実施の形態において、ＰＣ２，２・・・にインストールされているプリンタドライバ２１は、ＰＣＬ対応のプリンタドライバであるものとして説明したが、これに限られるものではなく、ＧＤＩ（Graphics Device Interface）対応のプリンタドライバがＰＣ２，２・・・にインストールされていてもよい。この場合、印刷ジョブを送信したＰＣ２の識別情報には、上記と同様にホスト名が用いられる。また、ＩＰアドレスが固定されている場合は、ＰＣ２，２・・・の識別情報としてＩＰアドレスを用いてもよい。
【００３９】
また、本実施の形態において、判定部１１２が印刷ジョブを送信したＰＣのホスト名を、印刷ジョブから取得するものとして説明したが、これに限られるものではない。たとえば、プリンタドライバ２１が、ユーザ情報記憶部１１１が保持する認証情報と同じものを保持しており、ユーザが印刷を指示するたびに、プリンタドライバ２１自身が、認証情報の入力をユーザに要求して認証処理を行ってもよい。
【００４０】
また、本実施の形態において、判定部１１２が印刷ジョブを送信したＰＣのホスト名を、印刷ジョブから取得するものとして説明したが、これに限られるものではない。たとえば、プリンタドライバ２１などが、印刷ジョブを送信する前に、認証情報または識別情報を印刷要求としてネットワーク複合機１に送信してもよい。そして、判定部１１２は、送信された認証情報または識別情報がユーザ情報記憶部１１１に記憶されている場合、ＰＣ２に印刷ジョブの送信を要求すればよい。
【００４１】
ＰＣ２が印刷要求として認証情報を送信する場合、プリンタドライバ２１がポップアップ等をモニタに表示させて、ユーザに認証情報の入力を要求すればよい。また、ユーザが認証情報をプリンタドライバ２１に予め記憶させておき、ユーザが印刷を指示した際に、プリンタドライバ２１が認証情報を自動的にネットワーク複合機１に送信してもよい。
【００４２】
また、本実施の形態において、図２に示すステップＳ１８において、判定部１１２が印刷ジョブを処理しない旨を通知するものとして説明したが、これに限られるものではなく、たとえば、判定部１１２は、送信された印刷ジョブが登録されたユーザから送信されたものと判定できない場合、印刷ジョブの送信元のＰＣ２に、認証情報の送信またはＰＣ２の識別情報の再送を要求してもよい。
【００４３】
｛変形例｝
次に、本実施の形態のネットワーク複合機１の変形例について説明する。
【００４４】
上記の実施の形態において、判定部１１２が印刷ジョブを送信したＰＣ２のホスト名を取得するものとして説明したが、本変形例では、判定部１１２は、印刷ジョブを受信した後に、印刷ジョブを送信したＰＣ２に対して認証情報の入力を要求する。
【００４５】
図４は、判定部１１２が印刷ジョブを送信したＰＣ２に認証情報の入力を要求する場合のシーケンス図である。図４に示すステップＳ２１からステップＳ２６の処理が、図３に示すステップＳ１２からステップＳ１６の処理に対応する。また、図４に示すステップＳ１１、ステップＳ１６、およびＳ１７は、図３に示すステップＳ１１、ステップＳ１６、およびＳ１７とそれぞれ同じものである。
【００４６】
ＰＣ２は、ユーザの印刷指示を受けて印刷ジョブを生成し（ステップＳ２１）、ネットワーク複合機１に印刷ジョブを送信する（ステップＳ２２）。ネットワーク複合機１は、印刷ジョブを受信すると、印刷ジョブを送信したＰＣ２に認証情報の入力を要求する認証情報入力要求を送信する（ステップＳ２３）。このとき、判定部１１２は、予めコンテンツとして保持している認証情報の入力画面を、印刷ジョブを送信したＰＣ２に送信する。
【００４７】
印刷ジョブを送信したＰＣ２は、認証情報入力要求を受信すると、ウェブブラウザを用いて認証情報の入力画面を表示させる。ユーザが認証情報を入力して（ステップＳ２４）、ネットワーク複合機１への認証情報の送信を指示すると、ＰＣ２は、認証情報入力応答として、ユーザが入力した認証情報を送信する（ステップＳ２５）。
【００４８】
ネットワーク複合機１が認証情報入力応答を受信すると、判定部１１２は、認証情報入力応答に含まれる認証情報と、ユーザ情報記憶部１１１に記録されている認証情報とが一致するか確認する（ステップＳ２６）。一致する場合、判定部１１２は、送信された印刷ジョブの処理を許可する。印刷処理部１５は、印刷処理を実行し（ステップＳ１６）、ログ記録部１１３は、印刷ログの記録を行う（ステップＳ１７）。なお、図４に示していないが、認証情報入力応答に含まれる認証情報と、ユーザ情報記憶部１１１に記録されている認証情報が一致しない場合、判定部１１２は、印刷できない旨を印刷ジョブを送信したＰＣ２に通知する（図３に示すステップＳ１８）。
【００４９】
これにより、印刷ジョブの送信を指示したユーザを確実に特定することができるため、ＰＣプリントのセキュリティをさらに向上させることができる。
【００５０】
なお、本変形例では、認証情報に代えて、ＰＣ２の識別情報を送信してもよい。この場合、認証情報の入力画面をＰＣ２のモニタ上に表示させる必要はなく、ＰＣ２は、認証情報入力要求を受信した際に、ホスト名を認証情報入力応答として送信すればよい。
【図面の簡単な説明】
【００５１】
【図１】本発明の一実施の形態における、ネットワーク複合機１の構成を含むネットワークシステムの構成図である。
【図２】ユーザ情報記憶部１１１が記憶するユーザ情報の一例を示す図である。
【図３】印刷ジョブを受信した際のネットワーク複合機１の動作の一例を示すフローチャートである。
【図４】印刷ジョブを受信した際のネットワーク複合機１の動作の変形例を示すシーケンス図である。
【符号の説明】
【００５２】
１  ネットワーク複合機
２  ＰＣ
１１  制御部
１４  スキャナ部
１５  印刷処理部
２１  プリンタドライバ
１１１  ユーザ情報記憶部
１１２  判定部
１１３  ログ記録部
【図１】
2008290271.tif 000003
【図２】
2008290271.tif 000004
【図３】
2008290271.tif 000005
【図４】
2008290271.tif 000006